(57)【特許請求の範囲】
【請求項１】
拘束具で互いに間隔を置いて拘束されて配索されるワイヤハーネスを、節点群のそれぞれの間に弾性体としての梁要素が介在すると見なしたライン状の解析モデルに対して、ワイヤハーネスの形状特性、材料特性及び拘束条件を基に有限要素法により解析された基準配索経路からワイヤハーネスを移動させ得る可動範囲を解析し、その可動範囲を表示する可動範囲解析装置と、
表示されたワイヤハーネスの節点の可動範囲の最大可動位置の任意の位置に複数の最外点を作成し表示する最外点自動表示手段と、
作成され表示された最外点に経路解析条件を付与する最外点経路解析条件付与手段と、
表示されている任意の一つの最外点を選択する選択指示手段と、
選択指示手段によって選択された最外点に付与されている解析条件によって有限要素法解析を行い、その最外点を含むワイヤハーネスの振れの経路を表示する経路表示手段と、
を備えることを特徴とするワイヤハーネス可動経路表示システム。
【請求項２】
可動範囲解析装置は、
両側の拘束点間の直線状の基準ラインを底辺とし、基準ラインを含む平面状の解析面上において解析モデルのライン長を２辺の長さとする三角形の頂点を形成するように、任意の複数個の節点を頂点にそれぞれ幾何学的に位置設定し、
各頂点に所属の節点が基準配索経路から移動可能か否かを解析するための節点の解析経路として、基準ラインに対する垂線を各頂点からそれぞれ設定し、
頂点を可動範囲の限界として、各解析経路上での所属の節点の設定位置においてワイヤハーネスの形状特性、材料特性及び拘束条件に対応するワイヤハーネスの変形が許容されるか得か否かにより、最大可動位置を解析し、
この最大可動位置の解析を、基準ラインを中心に所定の回転角ごとに回転させた複数の解析面毎に行うことによってワイヤハーネスの可動範囲を作成する、
ことを特徴とする請求項１に記載のワイヤハーネス可動経路表示システム。
【発明の詳細な説明】
【技術分野】
【０００１】
この発明は、拘束具で互いに間隔を置いて拘束されて配索されるワイヤハーネスについて、有限要素法により解析された節点群で構成されるライン状の解析モデルに対応する基準配索経路から強制的に移動させ得る可動範囲を有限要素法により解析してワイヤハーネス可動範囲面を表示するワイヤハーネスの可動範囲予測方法を使用し、その可動範囲面の中の任意の最大可動位置に対応する最外点を選択し、その最外点を含むワイヤハーネスの可動経路を表示してワイヤハーネスの振れによる周辺部品との干渉による断線、異音等を防ぐワイヤハーネス可動経路表示システムに関する。
【背景技術】
【０００２】
ワイヤハーネスは、自動車機器や電気機器等へ電気を供給する電線を束ねたものである。車の場合、車のあらゆる部分に張り巡らされ、人間でいえば血管や神経の役割をしていると言われている。ワイヤハーネスが例えば自動車に配設される場合、自動車の走行等によるワイヤハーネスの振れによる周辺部品との干渉による断線、異音等が発生するおそれがあった。
【０００３】
そのため従来から拘束具間におけるワイヤハーネスの振れの可動範囲を予測し、その予測した可動範囲をサーフェス（パソコンの表示部）で表示する方法が模索されていた。
【０００４】
特許文献１（従来技術１）には、複数本の線条材から構成されるワイヤを円形断面で線形性が保たれた複数の梁要素が結合された弾性体とみなし、コンピュータによる有限要素法を利用した計算により、所定箇所に配索されるワイヤの可動範囲を予測する方法であって、安定しているワイヤにおける拘束部位以外の複数の梁要素のそれぞれの結合点である節点に対して、所定の方向に所定の力を加えたときのワイヤの可動範囲を、ワイヤの形状特性、材料特性及び拘束条件を満たすように有限要素法を利用して算出するワイヤ様構造物の可動範囲予測方法が開示されている。
【０００５】
即ち、両端をクランプされたワイヤハーネスにつき、その拘束位置及び方向を拘束条件として、フックの法則に応じて、節点もしくは梁要素に３軸方向に並進及び３軸方向回りの６個の自由度、つまり各梁要素の両節点につき１２個の自由度を持つとして、ワイヤハーネスの長さ及び断面積の形状特性並びに梁要素の断面積、断面二次モーメント、密度、縦弾性係数及び横弾性係数の材料特性に対応する１２行１２列の剛性ベクトルと、並進及び回転の１２行の変位ベクトルとの積が、１２行の力ベクトルに相当する関係が成立することを前提にする。そして、３個以上の節点が連続するワイヤハーネスにつき、各節点間の変位の連続性と力が釣合うことを前提に、下記の式（１）のフックの法則に対応する配索経路関数によりワイヤハーネスの配索経路が解析される。
【０００６】
［Ｋ］｛ｘ｝＝｛Ｆ｝・・・（１）
ここで、Ｋ：前述の形状特性及び材料特性を基に算出もしくは実測され、かつ前述のばね定数に相当する剛性ベクトル、ｘ：変位ベクトル、Ｆ：力ベクトル。
【０００７】
これにより、ワイヤハーネスの両端の拘束位置及び拘束する方向を規定する拘束条件を前提に、ワイヤハーネスの長さ・円形断面形状の形状特性及び材料特性に応じて、弾性体としての梁要素が介在する各節点の互いの三次元方向の力を均衡させた状態に基準の配索経路が解析されると共に、節点に力を加えた場合の配索経路、即ち重力、エンジン駆動、走行時の振動等に起因する基準配索経路からの変位が解析され、また変位に対する力も解析可能となる。
【０００８】
特許文献２（従来技術２）には、画面上にワイヤハーネス等の柔軟物の三次元形状を模したグラフィック表示を行う画像表示手段と、柔軟物の画面上で指示された特定部位及び移動させられた移動位置を三次元仮想空間の三次元座標値として認識する座標値認識手段と、柔軟物の解析モデルに対して認識された特定部位を含めて拘束部位間を分割する複数個の節点を設定する節点設定手段と、柔軟物の材料特性データ、形状データ及び拘束条件を入力条件として、認識された移動位置及び設定された節点の三次元座標値データに応答して、有限要素法により特定部位の移動に伴って初期状態の解析モデルが変形するのを解析して変形解析モデルを作成する変形解析手段とを備えて、変形した柔軟物の三次元形状を模したグラフィック表示を行う柔軟物の変形解析装置が開示されている。これにより、ワイヤハーネスの一端に取付けられたコネクタを外す際に、その移動経路及び周辺の干渉物に対する位置関係を確認できる。
【０００９】
更に、本発明者は、特願２００７−２２８５７９号（従来技術３）によって「ワイヤーハーネスの可動範囲解析方法」を提案している。従来技術３には、「拘束具で互いに間隔をおいて拘束されて配索されるワイヤーハーネスについて、節点群のそれぞれの間に弾性体としての梁要素が介在すると見なしたライン状の解析モデルに対して、有限要素法によりワイヤーハーネスの形状特性、材料特性及び拘束条件に対応して解析された基準配索経路からワイヤーハーネスを強制的に移動させ得る可動範囲を有限要素法により解析するワイヤーハーネスの可動範囲解析方法であって、
両側の拘束点間の直線状の基準ラインを底辺とし、基準ラインを含む平面状の解析面上において解析モデルのライン長を２辺の長さとする三角形の頂点を形成するように、任意の複数個の節点を頂点にそれぞれ幾何学的に位置設定し、
各頂点に所属の節点が基準配索経路から移動可能か否かを解析するための節点の解析経路として、基準ラインに対する垂線を各頂点からそれぞれ設定し、頂点を可動範囲の限界として、各解析経路上での所属の節点の設定位置においてワイヤーハーネスの形状特性、前記材料特性及び前記拘束条件に対応するワイヤーハーネスの変形が許容され得るか否かにより、最大可動位置を解析し、この最大可動位置の解析を、基準ラインを中心に所定の回転角ごとに回転させた複数の解析面ごとに行なうことを特徴とするワイヤーハーネスの可動範囲解析方法」の記載がある。
【００１０】
従来技術３のワイヤハーネスの可動範囲解析方法を行なうワイヤハーネスの可動範囲解析装置を図１に示す。ワイヤーハーネスの可動範囲解析装置は、自動車のインストルメントパネル等に配索されるワイヤーハーネスＷについて、解析された配索経路からの最大可動範囲を解析するパソコン１に、その表示部としてのディスプレー部２と、入力部としてのキーボード３及びマウス４並びに記録媒体がセットされる入出力用のディスクドライブ６等を有する入出力部５が付属している。
【００１１】
パソコン１は、ＣＰＵ、メモリ等を内蔵してプログラムにより作動し以下の各部を構成する。解析条件格納手段１１は、ワイヤハーネスＷの材料特性及び形状特性並びに拘束部位の三次元座標値及び拘束方向等の拘束条件等の解析条件を格納する。配索経路解析手段１０は、解析条件格納手段１１の解析条件を基に拘束具ＣＬで互いに間隔をおいて拘束されワイヤハーネスＷの安定した基準配索経路を有限要素法により中心ラインのライン状の解析モデルについて解析する。表示制御手段１２は、入力された画像表示データに応答してディスプレー部２の画面２ａに三次元仮想空間を表示し、三次元形状を模したグラフィック表示を行なわせる。可動範囲解析部２０は、頂点設定手段２１と、解析経路設定手段２２と、可動位置確定手段２３と、可動範囲データ作成手段２４からなり、ワイヤハーネスの可動範囲を解析する。
【００１２】
次に従来技術３のワイヤハーネスの可動範囲解析方法について図４に示すフローチャートにしたがって説明する。最初に入出力部５から関連の解析ソフトをロードさせ解析条件等の入力を行いワイヤハーネスＷに対して予め登録された解析条件格納手段１１の解析条件に応じて配索経路解析手段１０により基準の安定した配索経路が解析される。表示制御手段１２は、ワイヤハーネスＷの円形断面に対応して円筒状に肉付けされた配索形状が三次元形状を模して画面２ａに表示させる。図３に示される拘束具ＣＬ１、ＣＬ２間の配索経路について、その可動範囲の解析を指令すると、可動範囲解析部２０において、それぞれの節点ｂ１〜ｂ１０について三角形を形成する頂点が各基準面について解析される（図２（Ｂ）参照、Ｓ１）。
【００１３】
次いで、垂線状の解析経路が設定（Ｓ２）されると共に、その解析経路上で基準の配索経路から所属の節点ｂ１〜ｂ１０の移動が許容される最大可動位置Mh１１１〜Mh１０１１を有限要素法により解析する（図２（Ｃ）参照、Ｓ３）。同図で、×印は頂点、○印は最大可動位置を示す。つまり、節点ｂ１〜ｂ１０を所属の解析経路に沿って頂点に向けて移動させ、解析モデルＭ１の解が得られるか否か、即ち前述の式（１）による配索経路関数が収束する限界位置を最大可動位置Mh１１１〜Mh１０１１として確定する。
【００１４】
このような最大可動位置Mh１〜Mh１０を各基準面ごとに結ぶと共に、共通の節点の最大可動位置Mh１〜Mh１０同士も順に結んで作成された最外可動範囲データに応答して、任意の基準面を正面視した状態で、基準の配索経路からの最大可動範囲を確認させるメッシュ状の三次元画像が画面２ａに表示される（図２Ｄ参照、Ｓ４）。確認のために必要な回転位置を入力装置４で指定して、その領域の正面視の画像を表示させることもできる。
【発明の開示】
【発明が解決しようとする課題】
【００１５】
しかしながら、従来技術３のワイヤハーネスの可動範囲解析方法であるとワイヤハーネスの振れる可動範囲は予測できたが、実際に問題が発生する任意の一つの最外点にワイヤーハーネスが振れるまでの経路を示すことはできず、その振れの経路は不明であった。そのため、実際のワイヤハーネスが振れる経路の予測が困難なためワイヤハーネスを実際に配設する場合に設計等において対策が取り難いという課題があった。
【００１６】
そのため、自動車の走行等によるワイヤハーネスの振れによる周辺部品との干渉による断線、異音等が発生するおそれがあった。
【課題を解決するための手段】
【００１７】
本発明のワイヤハーネス可動経路表示システムは、拘束具で互いに間隔を置いて拘束されて配索されるワイヤハーネスを、節点群のそれぞれの間に弾性体としての梁要素が介在すると見なしたライン状の解析モデルに対して、ワイヤハーネスの形状特性、材料特性及び拘束条件を基に有限要素法により解析された基準配索経路からワイヤハーネスを移動させ得る可動範囲を解析し、その可動範囲を表示する可動範囲解析装置と、表示されたワイヤハーネスの節点の可動範囲の最大可動位置の任意の位置に複数の最外点を作成し表示する最外点自動表示手段と、作成され表示された最外点に経路解析条件を付与する最外点経路解析条件付与手段と、表示されている任意の一つの最外点を選択する選択指示手段と、選択指示手段によって選択された最外点に付与されている解析条件によって有限要素法解析を行い、その最外点を含むワイヤハーネスの振れの経路を表示する経路表示手段と、を備えることを特徴とする。
【発明の効果】
【００１９】
この発明によれば、従来の予測手段では表示することのできなかった自動車のワイヤハーネスの振れの可動経路を容易に表示することができる。
【００２０】
そのため、自動車の走行等によるワイヤハーネスの振れによる周辺部品との干渉を予め防ぐような配線ができ、ワイヤハーネスの断線や異音の発生等を防止することが可能になった。
【発明を実施するための最良の形態】
【００２１】
この発明の実施形態であるワイヤハーネス可動経路表示システムに使用されるワイヤハーネス可動範囲予測方法について説明する図１乃至図４、同じくワイヤハーネスの振れの経路表示手段を示すフローチャートである図５、同じく図５の最外点の任意の一つを選択指示手段で選択し指示を行なう状態を示す説明図である図６、同じく図５の解析結果の経路を表示した状態を示す図７に基づいて説明する。
【００２２】
この発明の実施形態であるワイヤハーネス可動経路表示システムは、従来技術３に記載されたワイヤーハーネス可動範囲予測手段（図４（Ｅ））に基づく。このワイヤハーネスの可動範囲予測方法に使用される可動範囲解析装置を図１に示し以下説明する。
【００２３】
可動範囲解析装置は、例えば自動車のインストルメントパネルもしくはその周辺のボデーに間欠的に順に拘束されて配索されるワイヤハーネスについて、その解析された配索経路からの最大可動範囲を解析するのにパソコン１を用いるもので、さらにディスプレー部２と、入力部としてのキーボード３及びマウス４並びにＣＤ等の記録媒体がセットされる入出力用のディスクドライブ６等の入出力部５とが付属すると共に、ＣＰＵ、メモリ等を内蔵してプログラムにより作動することにより次の各部を構成している。
【００２４】
即ち、ワイヤハーネスの材料特性及び形状特性並びに拘束部位の三次元座標値及び拘束方向等の拘束条件等の解析条件を格納する解析条件格納手段１１と、その解析条件を基に拘束具で互いに間隔を置いて拘束されワイヤハーネスの安定した基準配索経路を有限要素法により中心ラインのライン状の解析モデルについて解析する配索経路解析手段１０と、入力する画像表示データに応答してディスプレー部２の画面２ａの三次元仮想空間に三次元形状を模したグラフィック表示を行わせる表示制御手段１２と、ワイヤハーネスの可動範囲を解析する可動範囲解析部２０と、ワイヤハーネス可動経路表示部３０とから構成される。
【００２５】
この可動範囲解析部は、両側の拘束点間の直線状の基準ラインを底辺とし、基準ラインを含む平面状の解析面上において解析モデルのライン長を２辺の長さとする三角形の頂点を形成するように、任意の複数個の節点を頂点にそれぞれ幾何学的に位置設定する頂点設定手段２１と、その幾何学的な各頂点に所属の節点が基準配索経路から移動可能か否かを解析するための節点の解析経路として、基準ラインに対する垂線を各頂点からそれぞれ設定する解析経路設定手段２２と、頂点を可動範囲の限界として、各解析経路上での所属の節点の設定位置においてワイヤハーネスの形状特性、材料特性及び拘束条件を基にワイヤハーネスの変形が許容され得るか否かにより最大可動位置を解析する最大可動位置確定手段２３と、基準ラインを中心に所定の回転角ごとに回転させた複数面の解析面について、各解析面上における複数個の節点の解析された最大可動位置を順に結ぶと共に、回転角を異にする共通の節点同士の最大可動位置を順に結ぶ三次元空間における可動範囲データを作成する可動範囲データ作成手段２４とで構成される。
【００２６】
配索経路解析手段１０は、例えば図３及び図２（Ａ）に示すように、互いに異なる方向に拘束具ＣＬ１及びＣＬ２により完全拘束することにより配索されるべきワイヤハーネス９に対して、円形断面の線形性が保たれた複数の梁要素が節点で結合された弾性体と見なすことにより、ワイヤハーネス９の長さ・円形断面の形状特性、その中心ラインに沿った例えば５ｍｍ間隔の節点群ｂ１〜ｂ１０の三次元座標値、梁要素の断面積、断面二次モーメント、密度、縦弾性係数、横弾性係数等の材料特性及び拘束位置・方向を解析条件として、前述の式（１）による配索経路関数を基に、各節点について前述の中心ラインを中心にした互いに力が均衡した捩れ回転量及び並進に起因する三次元位置を解析することにより、拘束点ａ１、ａ２間の安定した基準配索経路を規定するライン状の解析モデルＭ１を作成する。このように、ワイヤハーネス９の全域について三次元空間での配索経路を解析する。
【００２７】
可動範囲解析部２０の頂点設定手段２１は、図２（Ａ）（Ｂ）に示すように、両側の拘束点ａ１、ａ２間の各節点ｂ１〜ｂ１０について、ライン状の解析モデルＭ１のライン長Ｌ１が例えば基準ラインＢ１の距離１００ｍｍに対して、わん曲分だけ長くなった約１１０ｍｍとして頂点位置をそれぞれ演算する。つまり、底辺の長さと、頂点の両側の２辺の長さの和とが既知であると、三角形、即ち頂点位置が規定され得ることを前提に、各節点ｂ１〜ｂ１０について、両側の拘束点ａ１、ａ２間の直線状の基準ラインＢ１を底辺とし、ライン長Ｌ１及びそのライン上の任意の節点両側の線分長に応じて規定される三角形の頂点位置を設定する。
【００２８】
解析経路設定手段２２は、図２（Ｃ）に示すように、それぞれの頂点位置からの基準ラインＢ１に対する垂線の足である交点ｈ１〜ｈ１０を解析し、それぞれの垂線を設定する。可動位置確定手段２３は、各基準面について、節点ｂ１〜ｂ１０について、所属の垂直状の解析経路において基準の配索経路（図２（Ａ））から幾何学的な頂点に向けて微小間隔で逐次移動させる際の収束する最大可動位置Mh１〜Mh１０を、配索経路解析手段１０を構成する前述の式（１）の解析ソフトを利用して解析する。
【００２９】
つまり、各節点ｂ１〜ｂ１０の所属の解析経路を微小量ずつ逐次移動させる過程で、図５を基に前述したように、節点ｂ１に所属の共通位置の両側の節点同士、節点ｂ２の両側の節点同士、・・・・・・節点ｂ１０の両側の節点同士の変位が等しく、かつ力が釣り合う範囲で最大可動位置を解析する。因みに、移動量に相当する変位ベクトル｛ｘ｝に対して剛性ベクトル［Ｋ］の両側での相違により隣同士の節点の変位が等しくなり得なかったり、或は周辺の配索形状の変化により力ベクトル｛Ｆ｝が均衡し得なかったりすると、式（１）の関係が不成立、つまり収束しないことになる。
【００３０】
節点ｂ１については、幾何学的な最大可動位置に移動させる過程でワイヤハーネス９の変形曲率が小さくなり、収束可能な範囲な最大可動位置Mh１が、×印で示す頂点ｖ１よりも下方位置に確定される。節点ｂ２〜ｂ８については、最大可動位置Mh２〜Mh８が×印で示す所属の頂点と一致する。節点ｂ９については、拘束点ａ２での拘束方向に起因して基準ラインＢ１に対して逆回転位相の解析面上の配索位置から所属の解析面側へ大きく変形させられ、頂点ｖ９には到達し得ず、基準ラインＢ１を僅かに越えた最大可動位置Mh９に確定される。節点ｂ１０については、さらに至近位置の拘束点ａ２の拘束により変形が制限されて逆回転位相の解析面上に最大可動位置Mh１０に確定される。
【００３１】
尚、可動位置確定手段２３における節点ｂ１〜ｂ１０の所属の解析経路への設定は、頂点に向けて逐次移動させるのと逆方向に、頂点位置で収束するか否かを確認して、収束しない場合に解析経路上を頂点から基準ラインＢ１に向けて移動することも考えられる。
【００３２】
可動範囲データ作成手段２４は、図２（Ｄ）に示すように、図２（Ａ）〜（Ｃ）に示す解析面の最大可動位置Mh１１〜Mh１０１を点表示して順に結ぶと共に、所定の角度、例えば３０°回転させた解析面の順に結ばれた最大可動位置Mh１２〜Mh１０２と共通の節点同士の最大可動位置の点を順に結び、同様に所定の角度ずつ３６０°の範囲にわたり回転させた共通の節点同士の最大可動位置の点を順に結び、さらに最後のMh１１１〜Mh１０１１と最初の最大可動位置Mh１１〜Mh１０１の点を結ぶ可動範囲データを作成する（図２は省略して示している）。
【００３３】
表示制御手段１２は、この可動範囲データに応答してディスプレー部２の画面２ａ上の三次元仮想空間に、最大可動範囲を指示する三次元形状のメッシュ状画像をグラフィック表示する。その表示は、可動範囲データを配索形状の解析用のＣＡＤの三次元座標系に対して基準ラインＢ１を画面２ａ上の三次元仮想空間で正面視した状態を含めて、周知の方法により、外部からの操作指令に応じて任意の方向から見た画像表示データに変換してグラフィック表示を行う。尚、可動範囲データ作成手段の変形例として最大可動位置を表示する点同士を結ばない場合には、表示制御手段１２は、最大可動位置をメッシュ状画像でなく、点群もしくはプロット状画像としてグラフィック表示する。
【００３４】
上述したワイヤハーネス可動範囲予測手段を、図４（Ｅ）に示すフローチャートに基づき説明する。ワイヤハーネスＷの可動範囲予測をスタートすると、拘束点間の基準ラインを底辺とし、節点両側の線分長を２辺とする三角形の頂点に各接節点を位置設定する。次に頂点から基準ラインへ垂線を設定する。次に頂点を限界として解析経路上で基準配索経路から節点の移動が許容される最大可動位置をそれぞれ有限要素法により解析する。次に、基準ラインを中心に所定の回転角毎に回転させた複数の解析平面について、節点の最大可動位置をそれぞれ有限要素法により解析する。最後に、各解析平面上で最大可動位置を順にラインで結ぶとともに、各回転角を異にする共通の節点同士の最大可動位置を順に結んで三次元空間における可動範囲データを作成して可動範囲画像を仮想三次元により表示する。
【００３５】
ワイヤハーネス可動範囲予測手段（図４（Ｅ））によってディスプレー部２の画面に表示されたワイヤハーネス９の可動範囲面Ａを使用して、次にワイヤーハーネス可動経路表示部３０によって、ワイヤーハーネス９の可動経路を予め予測して表示する。ワイヤハーネス可動経路表示部３０は、最外点自動表示手段３０、最外点経路解析条件付与手段３１、経路表示手段３２と、選択指示手段４とからなる。
【００３６】
ディスプレー部２の画面に表示されたワイヤハーネス９の可動範囲面Ａの最大可動位置Ｍｈ１−−ｎの任意の位置に最外点自動表示手段３１により任意の複数の最外点Ｍｐを作成し表示する（図４（Ｆ）及び図６参照）。
【００３７】
表示されたそれぞれの最外点Ｍｐに最外点経路解析条件付与手段３１によって経路解析条件を付与する（図４（Ｆ））。
【００３８】
次に、図５及び図６に示すようにワイヤハーネス可動経路表示部３０の選択指示手段（マウス）４により画面２ａに表示されている任意の一つの最外点Ｍｐｘを選択して経路解析の指示を行なう。この実施形態では選択指示手段４はパソコン１のマウス４であり、選択して指示する行為はマウス４のクリックである。選択指示手段４の他の実施形態としては、パソコンのキーボードやタッチパネル等のマウスと同作用を行い得る部材であれば可能である。その場合、選択して指示する行為はキーボードやタッチパネルへのタッチになる。図６において９ａは、選択して経路解析を指示された最外点Ｍｐｘを含むワイヤーハーネスの解析元経路を示す。
【００３９】
次に、選択指示手段４によって選択指示された最外点Ｍｐｘに付与されている解析条件によって有限要素法解析を行い、図７に示すようにその最外点Ｍｐｘを含むワイヤハーネス９の振れの経路９ａを経路表示手段３２によってディスプレー部２の画面２ａに表示することができる。
【００４０】
上述した最外点自動表示手段３０、最外点経路解析条件付与手段３１、経路表示手段３２は、パソコン１に設定されたコンピューターソフトである。
【産業上の利用可能性】
【００４１】
この発明は、ワイヤハーネスの配設に関するもので自動車、バイク等の二輪車、電機業界で利用可能である。
【図面の簡単な説明】
【００４２】
【図１】この発明の実施形態であるワイヤハーネス可動経路表示システムに使用されるワイヤハーネス可動範囲予測方法を実施する可動範囲解析装置の構成を説明する構成図
【図２】図１の可動範囲解析装置の動作を説明する説明図
【図３】図１の可動範囲解析装置の解析対象になるワイヤハーネスを示す正面図
【図４】図１の可動範囲解析装置の動作を説明するフローチャート
【図５】この発明の実施形態であるワイヤハーネス可動経路表示システムに使用されるワイヤハーネス経路表示部のフローチャート
【図６】同じく表示された最外点の一つをマウスでクリックする状態を示す説明図
【図７】同じく図５の解析結果のワイヤハーネス振れ経路を表示した状態を示す説明図
【符号の説明】
【００４３】
１  パソコン
２  ディスプレー部
３  キーボード
４  マウス
５  入出力部
６  ディスクドライブ
９  ワイヤハーネス
９ａ  ワイヤハーネスの解析元経路
１０  配索経路解析手段
１１  表示制御手段
１２  表示制御手段
２０  可動範囲解析部
【図１】
0004746058.tif 000002
【図２】
0004746058.tif 000003
【図３】
0004746058.tif 000004
【図４】
0004746058.tif 000005
【図５】
0004746058.tif 000006
【図６】
0004746058.tif 000007
【図７】
0004746058.tif 000008